(57)【要約】【課題】真空断熱材を用いた冷蔵庫において、除霜水配管の凍結及び配線の結露を防止できる冷蔵庫を提供する。【解決手段】外箱２３と内箱２２との間の硬質ウレタンフォーム２４中に配設される除霜水配管７２や配線７５と内箱２２との間に、真空断熱材４４ａを配設するものであり、真空断熱材４４ａにより除霜水の保温を図り、冷凍室２８，２９の庫内温度の影響で除霜水が冷やされて凍結することを防止することができる。さらに、配線が冷やされて結露することを防止することができる。【選択図】図３
2005164193.tif 000002
【特許請求の範囲】
【請求項１】
外箱と内箱との間に配線と排水管と硬質ウレタンフォームと真空断熱材とを備え、内箱と配線の間に真空断熱材を配設したことを特徴とする冷蔵庫。
【請求項２】
外箱にスペーサーを設け、真空断熱材がスペーサーに接し配設されることを特徴とする請求項１に記載の冷蔵庫。
【請求項３】
外箱に接する真空断熱材に凹凸を設けることを特徴とする請求項１に記載の冷蔵庫。
【請求項４】
配線が複数の真空断熱材により挟まれたことを特徴とする請求項１に記載の冷蔵庫。
【発明の詳細な説明】
【技術分野】
【０００１】
本発明は、外箱と内箱間に真空断熱材を備えた冷蔵庫に関するものである。
【背景技術】
【０００２】
近年、冷蔵庫の省エネルギー化や省スペース化を狙いに、冷蔵庫の断熱性能を高める一手段として、高断熱性能を有する真空断熱材を利用する方法があり、省エネルギーの要請が益々高まる今日では、硬質ウレタンフォームと比較して数倍から１０倍程度の断熱性能を有する真空断熱材を適切な範囲内で最大限に利用することにより断熱性能を向上させたものがある。（例えば、特許文献１参照）
以下、図面を参照しながら上記従来の冷蔵庫について説明する。図９は上記従来の冷蔵庫の側面断面図を示すものである。
【０００３】
図において、１は冷蔵庫本体で、外箱２と内箱３とで構成される空間全体を、成形可能な袋状の紙材４で覆い、この紙材４内部に無機多孔質からなる充填材５を充填し、内外箱２，３で囲まれた空間の形状に沿って真空断熱材６が構成されている。また、使用される真空断熱材は両面ともに金属箔を有し、形状は平面のみとなっている。
【０００４】
本構成により、内外箱２，３間への真空断熱材６の収納作業が容易に行えると共に内外箱２，３と真空断熱材６との隙間を塞ぐ作業などが廃止できるうえ、硬質ウレタンフォームを使用せず真空断熱材６のみで断熱箱体を構成できるため極めて高い断熱性能を確保することができる。
【特許文献１】特開平６−１５９９２２号公報
【発明の開示】
【発明が解決しようとする課題】
【０００５】
しかしながら、上記従来例に記載されている冷蔵庫では、硬質ウレタンフォームと比較して強度的に劣る真空断熱材６のみを使用した冷蔵庫であるため、断熱性能は高いものの強度的には非常に弱くなるといった問題があった。また、真空断熱材により断熱性能向上のため、配線の結露や、ドレン凍結が問題となっている。
【０００６】
本発明は、上記課題に鑑み、真空断熱材を使用しても、箱体強度として問題がなく、真空断熱材の使用を容易にし、配線の結露やドレン凍結を防止するものである。
【課題を解決するための手段】
【０００７】
上記課題を解決するため、本発明の冷蔵庫は、外箱と内箱との間に配線と排水管と硬質ウレタンフォームと真空断熱材とを備え、内箱と配線の間に真空断熱材を配設したものであり、配線を真空断熱材より外側に配設しているので、配線を高温に保ち、配線が庫内から庫外に出ても、結露現象を防止できる。さらに、内箱からの冷熱を真空断熱材により防止することで、硬質ウレタンフォーム内での結露を防止できる。
【発明の効果】
【０００８】
本発明の冷蔵庫によれば、外箱と内箱との間に配線と排水管と硬質ウレタンフォームと真空断熱材とを備え、内箱と配線の間に真空断熱材を配設したことにより、配線を断熱し、結露を防止できる。また、除霜水配管を断熱し、除霜水の凍結を防止できる。
【発明を実施するための最良の形態】
【０００９】
請求項１に記載の断熱箱体の発明は、外箱と内箱との間に配線と排水管と硬質ウレタンフォームと真空断熱材とを備え、内箱と配線の間に真空断熱材を配設したものであり、配線を真空断熱材より外側に配設しているので、配線を高温に保ち、配線が庫内から庫外に出ても、結露現象を防止できる。さらに、内箱からの冷熱を真空断熱材により防止することで、硬質ウレタンフォーム内での結露を防止できる。
【００１０】
請求項２に記載の発明は、請求項１に記載の発明において、外箱にスペーサーを設け、真空断熱材がスペーサーに接し配設されるものであり、スペーサーにて真空断熱材の保持力を強化できる。さらに、内箱による真空断熱材の支持を必要とせず、内箱を自由な形状にできる。
【００１１】
請求項３に記載の発明は、請求項１に記載の発明において、外箱に接する真空断熱材に凹凸を設けるものであり、外箱との接着面積を増やし、真空断熱材の保持力を強化できる。また、真空断熱材の凹形状により配線の位置指定を容易にできる。
【００１２】
請求項４に記載の発明は、請求項１に記載の発明において、配線が複数の真空断熱材により挟まれたものであり、真空断熱材を複数枚用い、配線を覆うことで、結露を防止できる。さらに配線に真空断熱材が付くことで、配線の配設位置を自由にできる。
【００１３】
以下、本発明の実施の形態について、図面を参照しながら説明する。なお、従来と同一構成については、同一符号を付して詳細な説明を省略する。また、この実施の形態によってこの発明が限定されるものではない。
【００１４】
（実施の形態１）
図１は、本発明の実施の形態１による冷蔵庫を左右に切断したとき左側部分を右側から見た様子を示す縦断面図を、図２は、同冷蔵庫を前後に切断したとき後部分を正面から見た様子を示す縦断面図を、図３は、本発明の実施の形態１による冷蔵庫の要部断面図を示す。
【００１５】
図１、図２において、２１は冷蔵庫本体であり、ＡＢＳなどの合成樹脂からなる内箱２２と鉄板などの金属からなる外箱２３とから形成される空間に硬質ウレタンフォーム２４が充填されている。３０は、冷蔵庫本体２１の後部下方に配置した機械室で、内部に圧縮機３１を配設している。３２は冷蔵用冷却器、３３は冷蔵用送風機、３４は冷凍用冷却器、３５は冷凍用送風機で、３６は、冷蔵庫本体２１の底面部に配設した凝縮器である。
【００１６】
冷蔵庫本体２１の前面開口部には、冷蔵室用扉３７、野菜室用扉３８、冷凍室用扉３９，４０が設けられている。４１，４２，４３，４４，４４ａ，４５，４６，４７，４８，４９，５０は真空断熱材で、硬質ウレタンフォーム２４とともに断熱箱体２１ａを構成している。
【００１７】
ここで、真空断熱材４１，４２，４４は、外箱２３のそれぞれ天面、背面、上部側面の内側に接して貼り付けられている。また、真空断熱材４３，４４ａ，４５は、内箱２２のそれぞれ底面、下部側面、機械室構成面に接して貼り付けられている。
【００１８】
また、冷蔵庫本体２１の前面開口部に配置する冷蔵室用扉３７、野菜室用扉３８、冷凍室用扉３９，４０の内部にはそれぞれ真空断熱材４７，４８，４９，５０が、各扉の外側鉄板に接するように配設されている。
【００１９】
本実施の形態の冷蔵庫は、外箱２３と内箱２２との間に硬質ウレタンフォーム２４と真空断熱材４１，４２，４３，４４，４４ａ，４５，４６，４７，４８，４９，５０とを備え、下部に機械室３０を配設した冷蔵庫において、真空断熱材４１，４２，４３，４４，４４ａ，４５，４６，４７，４８，４９，５０を、冷蔵庫の上部両側面、天面、背面、前面に対しては外箱２３に接し配設し、底面、下部両側面および機械室３０を構成する面に対しては内箱２２に接し配設したものである。
【００２０】
図３において、７２は除霜水配管で７５は配線である。真空断熱材４４ａは除霜水配管７２や配線７５等雑物がある所から、優先的に配置する。
【００２１】
本実施の形態は、外箱２３と内箱２２との間で、硬質ウレタンフォーム２４の流れを阻害するおそれがある雑物（除霜水配管７２や配線７５等）がある所に真空断熱材４４ａを配設するものであり、真空断熱材４４ａにより冷蔵庫の吸熱負荷を効果的に抑えることができ、省エネルギーの効果を高めることができる。また、硬質ウレタンフォーム２４の流れ性を阻害してしまうおそれがある雑物がある所に真空断熱材４４ａを配設することで断熱性能を確保することができる。
【００２２】
また、除霜水配管７２や配線７５を設置するときは、真空断熱材４４と外箱２３との間に設置する。
【００２３】
また、外箱２３と内箱２２との間に配設される除霜水配管７２や配線７５と内箱２２との間に、真空断熱材４４ａを配設するものであり、真空断熱材４４ａにより除霜水の保温を図り、冷凍室２８，２９の庫内温度の影響で除霜水が冷やされて凍結することを防止することができる。さらに、配線が冷やされて結露することを防止することができる。
【００２４】
（実施の形態２）
図４は、本発明の実施の形態２による冷蔵庫の要部断面図である。なお、実施の形態１と同一構成については同一符号を付してその説明を省略し、異なる点についてのみ説明する。図において７６はスペーサーであり、外箱２３の内面に配設されている。また、真空断熱材４４ｂを前記スペーサー７６に設置している。さらに、除霜水配管７２や配線７５はスペーサー７６により設けられた、真空断熱材４４ｂと外箱２３との空間に配設されている。
【００２５】
本実施の形態はスペーサー（発泡スチロール材）７６に凹部を設け、真空断熱材４４ｂを挟み込み、保持効果を増している。
【００２６】
（実施の形態３）
図５及び図６は、本発明の実施の形態３による冷蔵庫の要部断面図である。なお、実施の形態１と同一構成については同一符号を付してその説明を省略し、異なる点についてのみ説明する。
【００２７】
図において、４４ｃは凹凸付き真空断熱材であり、外箱に設置されており、外箱との接着部を増加できる。また、除霜水配管７２や配線７５の位置指定を容易にできる。
【００２８】
（実施の形態４）
図７及び図８は、本発明の実施の形態４による冷蔵庫の要部断面図である。なお、実施の形態１と同一構成については同一符号を付してその説明を省略し、異なる点についてのみ説明する。図において５１，５２は真空断熱材であり、配線７５を挟んで設置している。
【００２９】
本実施の形態は真空断熱材５１に接着剤を塗布し、配線７５を接着剤塗布表面に接着させ、上から真空断熱材５２を用いて、配線７５を挟むことで、真空断熱材５１,５２設置しており、真空断熱材の大きさや、位置に関係なく、配線７５を設置できる。また、外箱や内箱の真空断熱材の固定部を不用とできる。さらに外箱や内箱を複雑な形状にできる。
【産業上の利用可能性】
【００３０】
以上のように、本発明にかかる冷蔵庫は、内箱と配線の間に真空断熱材を配設したことにより、配線の結露を防止でき、また、除霜水の凍結を防止できるので、冷蔵庫に限らず機器の配線，除霜水の排水経路を備えた冷却機器分野全般に適用できる。
【図面の簡単な説明】
【００３１】
【図１】本発明の実施の形態１における冷蔵庫の縦断面図
【図２】同実施の形態における冷蔵庫の縦断面図
【図３】同実施の形態における冷蔵庫の要部拡大断面図
【図４】本発明の実施の形態２における冷蔵庫の要部拡大断面図
【図５】本発明の実施の形態３における冷蔵庫の要部拡大断面図
【図６】本発明の実施の形態３における冷蔵庫の要部拡大断面図
【図７】本発明の実施の形態４における冷蔵庫の要部拡大断面図
【図８】本発明の実施の形態４における冷蔵庫の要部拡大断面図
【図９】従来の冷蔵庫の断面図
【符号の説明】
【００３２】
２２    内箱
２３    外箱
２４    硬質ウレタンフォーム
３０    機械室
４１，４２，４３，４４，４４ａ，４４ｂ，４４ｃ，４５，４６，４７，４８，４９，５０，５１，５２    真空断熱材
７２    除霜水配管
７５    配線
７６    スペーサー
【図１】
2005164193.tif 000003
【図２】
2005164193.tif 000004
【図３】
2005164193.tif 000005
【図４】
2005164193.tif 000006
【図５】
2005164193.tif 000007
【図６】
2005164193.tif 000008
【図７】
2005164193.tif 000009
【図８】
2005164193.tif 000010
【図９】
2005164193.tif 000011